(57)【要約】      （修正有）【課題】広い送風範囲を有し、送風範囲を変更でき、ユーザーの快適感を高めることができる多角度揺動型送風装置を提供する。【解決手段】多角度揺動型送風装置は、台座１、固定ロッド２、送風機構５、水平揺動機構３及び垂直揺動機構４を備え、固定ロッドの一端が台座に固定され、水平揺動機構が固定ロッドの他端に固定され、垂直揺動機構が水平揺動機構の駆動端に固定され、送風機構が水平揺動機構の駆動端に固定され、水平揺動機構と垂直揺動機構との協働によって送風機構の垂直揺動及び水平揺動を実現できる。水平揺動機構及び垂直揺動機構の両方がクランクロッカーユニットを用いて伝動を行うことで、揺動の安定性を向上させる。さらに広い送風範囲を有し、首振りの幅を調整し、それにより送風範囲を変更し、実際のシーンに応じて送風装置を最大限に利用して異なる角度の風を発生させ、ユーザーの快適感を高め、ユーザー体験を向上させることができる。【選択図】図１
0003229250.tif 000002
【実用新案登録請求の範囲】
【請求項１】
多角度揺動型送風装置であって、台座（１）、固定ロッド（２）、送風機構（５）、水平揺動機構（３）及び垂直揺動機構（４）を備え、前記固定ロッド（２）の一端が台座（１）に固定され、前記水平揺動機構（３）が固定ロッド（２）の他端に固定され、前記垂直揺動機構（４）が水平揺動機構（３）の駆動端に固定され、前記送風機構（５）が水平揺動機構（３）の駆動端に固定され、前記垂直揺動機構（４）は取り付けブラケット（４１）、第１モーター（４２）、第１伝動モジュール（４３）及び揺動フレーム（４４）を備え、前記第１モーター（４２）が取り付けブラケット（４１）に取り付けられ、前記揺動フレーム（４４）が第１伝動モジュール（４３）によって第１モーター（４２）の駆動端に取り付けられることを特徴とする多角度揺動型送風装置。
【請求項２】
前記第１伝動モジュール（４３）はクランクロッカーユニットであり、第１偏心ブロック（４３１）、第１クランク（４３２）及び第１ロッカー（４３３）を備え、前記第１ロッカー（４３３）が第１固定軸（４３４）によって取り付けブラケット（４１）に取り付けられ、前記第１偏心ブロック（４３１）の一端が第１モーター（４２）の駆動端に取り付けられ、前記第１クランク（４３２）の一端が第１偏心ブロック（４３１）の一端に可動接続され、前記第１クランク（４３２）の他端が第１ロッカー（４３３）の一端に可動接続されることを特徴とする請求項１に記載の多角度揺動型送風装置。
【請求項３】
前記第１伝動モジュール（４３）は取り付けブロック（４３５）をさらに備え、前記取り付けブロック（４３５）に揺動溝（４３５１）が設けられ、前記第１ロッカー（４３３）の第１クランク（４３２）から遠い一端に第１揺動ブロック（４３３１）が設けられ、前記取り付けブロック（４３５）が第１固定軸（４３４）に回転可能に取り付けられ、且つ前記第１揺動ブロック（４３３１）が揺動溝（４３５１）に嵌入され、前記ロッカーの第１揺動ブロック（４３３１）が取り付けブロック（４３５）を駆動して正逆揺動を行うことができることを特徴とする請求項２に記載の多角度揺動型送風装置。
【請求項４】
前記第１伝動モジュール（４３）は緩衝ばね（４３６）をさらに備え、前記緩衝ばね（４３６）が第１固定軸（４３４）に嵌着され、前記揺動フレーム（４４）が取り付けブロック（４３５）に固定して接続され、前記緩衝ばね（４３６）の一端が取り付けブラケット（４１）に接続され、前記緩衝ばね（４３６）の他端が取り付けブロック（４３５）に接続されることを特徴とする請求項３に記載の多角度揺動型送風装置。
【請求項５】
前記揺動溝（４３５１）は扇形溝であり、且つ前記揺動溝（４３５１）の弧状内壁に第１係止溝（４３５２）が設けられ、前記第１揺動ブロック（４３３１）に取り付けブラインドホール（４３３２）が設けられ、前記取り付けブラインドホール（４３３２）に第１制限ボール（４３３３）が設けられ、前記第１制限ボール（４３３３）が第１係止溝（４３５２）と嵌合することを特徴とする請求項４に記載の多角度揺動型送風装置。
【請求項６】
前記水平揺動機構（３）は接続スリーブ（３１）、第２モーター（３２）、第２伝動モジュール（３３）及び第２固定軸（３４）を備え、前記接続スリーブ（３１）が固定ロッド（２）に固定され、前記第２固定軸（３４）が接続スリーブ（３１）内に回転可能に嵌着され、前記第２モーター（３２）が取り付けブラケット（４１）に固定され、前記第２モーター（３２）の駆動端が第２伝動モジュール（３３）によって第２固定軸（３４）に接続されることを特徴とする請求項１−５のいずれか一項に記載の多角度揺動型送風装置。
【請求項７】
前記第２伝動モジュール（３３）はクランクロッカーユニットであり、第２偏心ブロック（３３１）、第２クランク（３３２）及び第２ロッカー（３３３）を備え、前記ロッカーが第２固定軸（３４）に固定され、前記第２偏心ブロック（３３１）の一端が第２モーター（３２）の駆動端に固定され、前記第２クランク（３３２）の一端が第２偏心ブロック（３３１）の一端に可動接続され、前記第２クランク（３３２）の他端が第２ロッカー（３３３）の一端に可動接続されることを特徴とする請求項６に記載の多角度揺動型送風装置。
【請求項８】
前記接続スリーブ（３１）の上端面に制限溝（３１１）が設けられ、前記第２ロッカー（３３３）の第２クランク（３３２）から遠い一端に第２揺動ブロック（３３３１）が設けられ、前記第２揺動ブロック（３３３１）が制限溝（３１１）内に嵌入され、前記制限溝（３１１）が第２ロッカー（３３３）の第２揺動ブロック（３３３１）を制限できることを特徴とする請求項７に記載の多角度揺動型送風装置。
【請求項９】
前記固定ロッド（２）は上ロッド（２１）、下ロッド（２２）及び調整ユニット（２３）を備え、前記上ロッド（２１）が調整ユニット（２３）によって下ロッド（２２）に嵌着されることを特徴とする請求項８に記載の多角度揺動型送風装置。
【請求項１０】
前記台座（１）は締め具をさらに備え、前記下ロッド（２２）の一端に締め付けねじ（２２１）が設けられ、前記台座（１）に取り付け孔が設けられ、前記下ロッド（２２）が締め具によって台座（１）に取り外し可能に固定されることを特徴とする請求項９に記載の多角度揺動型送風装置。
【考案の詳細な説明】
【技術分野】
【０００１】
本考案は小型家電の分野に関し、特に多角度揺動型送風装置に関する。
【背景技術】
【０００２】
扇風機とは、熱い日に風を発生させて涼感を得るものである。電動扇風機は、電力で駆動されて気流を発生させる装置であり、電源を入れると、内蔵された羽根が回転して自然風を発生させて涼感を得る効果を達成する。エネルギー消費量が低く、環境にやさしい電動扇風機は室内の空気循環を促進して降温の効果を達成することができ、人体に非常に役立つ。
【０００３】
従来の電動扇風機は通常、左右揺動機能を有するが、上下揺動機能がなく、このような従来の扇風機は送風範囲が十分に広くない。
【考案の概要】
【考案が解決しようとする課題】
【０００４】
上述のように、従来の電動扇風機はその送風範囲が狭いため、室内の空気循環面積を低減させ、すなわち、一部の空間の降温ができず、ユーザーにおける涼感が低下してしまうという不具合があった。本考案は上記問題点に鑑みてなされたもので、その目的は、従来の扇風機に比べて、広い送風範囲を有し、首振りの幅を調整し、それにより送風範囲を変更し、実際のシーンに応じて送風装置を最大限に利用して異なる角度の風を発生させ、ユーザーの快適感を高め、ユーザーの涼感を向上させることができる多角度揺動型送風装置を提供することである。
【課題を解決するための手段】
【０００５】
本考案の一態様によれば、多角度揺動型送風装置を提供し、台座、固定ロッド、送風機構、水平揺動機構及び垂直揺動機構を備え、固定ロッドの一端が台座に固定され、水平揺動機構が固定ロッドの他端に固定され、垂直揺動機構が水平揺動機構の駆動端に固定され、送風機構が水平揺動機構の駆動端に固定され、垂直揺動機構が取り付けブラケット、第１モーター、第１伝動モジュール及び揺動フレームを備え、第１モーターが取り付けブラケットに取り付けられ、揺動フレームが第１伝動モジュールによって第１モーターの駆動端に取り付けられる。
【０００６】
本考案は水平揺動機構と垂直揺動機構との協働によって送風機構の垂直揺動及び水平揺動を実現でき、本送風装置の送風範囲を拡大する。市販されている従来の扇風機に比べて、本扇風機はさらに広い送風範囲を有し、首振りの幅を調整し、それにより送風範囲を変更し、実際のシーンに応じて送風装置を最大限に利用して異なる角度の風を発生させ、ユーザーの快適感を高め、ユーザーの涼感を向上させることができる。
【０００７】
いくつかの実施形態では、第１伝動モジュールはクランクロッカーユニットであり、第１偏心ブロック、第１クランク及び第１ロッカーを備え、第１ロッカーが第１固定軸によって取り付けブラケットに取り付けられ、第１偏心ブロックの一端が第１モーターの駆動端に取り付けられ、第１クランクの一端が第１偏心ブロックの一端に可動接続され、第１クランクの他端が第１ロッカーの一端に可動接続される。
【０００８】
それにより、本考案では、垂直揺動機構がクランクロッカーユニットを第１伝動モジュールとして使用し、該ユニットが第１モーターによって第１伝動モジュールを駆動して、第１伝動モジュールの駆動端に取り付けられる送風機構の揺動機能を実現でき、クランクロッカーユニットである第１伝動モジュールが伝動することによって、安定的な上下往復揺動を実現できる。
【０００９】
いくつかの実施形態では、第１伝動モジュールは取り付けブロックをさらに備え、取り付けブロックに揺動溝が設けられ、第１ロッカーの第１クランクから遠い一端に第１揺動ブロックが設けられ、取り付けブロックが第１固定軸に回転可能に取り付けられ、且つ第１揺動ブロックが揺動溝に嵌入され、ロッカーの第１揺動ブロックが取り付けブロックを駆動して正逆揺動を行うことができる。
【００１０】
それにより、垂直揺動機構をオフにする時、送風機構の垂直送風角度を手動で調整できる。手動調整中、第１揺動ブロックと揺動溝が相対変位し、該揺動過程では、取り付けブロックのみが揺動し、第１揺動ブロックが静止状態にあるため、該揺動がモーターを巻き込むことがなく、モーター保護効果を達成する。
【００１１】
いくつかの実施形態では、第１伝動モジュールは緩衝ばねをさらに備え、緩衝ばねが第１固定軸に嵌着され、揺動フレームが取り付けブロックに固定して接続され、緩衝ばねの一端が取り付けブラケットに接続され、緩衝ばねの他端が取り付けブロックに接続される。
【００１２】
それにより、上下揺動する送風機構が重力を有するため、揺動中に重力の影響を回避できるように、緩衝ばねによって重力を緩衝する必要がある。
【００１３】
いくつかの実施形態では、揺動溝は扇形溝であり、且つ揺動溝の弧状内壁に第１係止溝が設けられ、第１揺動ブロックに取り付けブラインドホールが設けられ、取り付けブラインドホールに第１制限ボールが設けられ、第１制限ボールが第１係止溝と嵌合する。
【００１４】
それにより、垂直揺動機構をオフにする時、送風機構の垂直送風角度を手動で調整できる。第１制限ボールと第１係止溝によって制限を行うことで、送風機構が１つの送風角度を維持できる。
【００１５】
いくつかの実施形態では、水平揺動機構は接続スリーブ、第２モーター、第２伝動モジュール及び第２固定軸を備え、接続スリーブが固定ロッドに固定され、第２固定軸が接続スリーブ内に回転可能に嵌着され、第２モーターが取り付けブラケットに固定され、第２モーターの駆動端が第２伝動モジュールによって第２固定軸に接続される。
【００１６】
それにより、水平揺動機構は送風機構を駆動して水平方向の左右揺動を行うことができ、該揺動が第２モーターによって駆動され、且つ第２伝動モジュールによって伝動され、第２モーターが取り付けブラケットに固定されることで、第２モーターが第２固定軸を円心に正逆揺動を行い、それにより取り付けブラケットを駆動して第２固定軸を円心に正逆揺動を行う。
【００１７】
いくつかの実施形態では、第２伝動モジュールはクランクロッカーユニットであり、第２偏心ブロック、第２クランク及び第２ロッカーを備え、ロッカーが第２固定軸に固定され、第２偏心ブロックの一端が第２モーターの駆動端に固定され、第２クランクの一端が第２偏心ブロックの一端に可動接続され、第２クランクの他端が第２ロッカーの一端に可動接続される。
【００１８】
それにより、第２伝動モジュールは同様にクランクロッカーユニットであり、第２伝動モジュールの伝動方式が第１伝動モジュールの伝動方式と類似する。第２伝動モジュールの第２偏心ブロックが第１偏心ブロックの自由度より高い。
【００１９】
いくつかの実施形態では、接続スリーブの上端面に制限溝が設けられ、第２ロッカーの第２クランクから遠い一端に第２揺動ブロックが設けられ、第２揺動ブロックが制限溝内に嵌入され、制限溝が第２ロッカーの第２揺動ブロックを制限できる。
【００２０】
それにより、水平揺動機構をオフにする時、送風機構の水平送風角度を手動で調整できる。手動調整中、第２モーターが取り付けブラケットとともに回転し、第２伝動モジュールも相対変位し、それにより第２揺動ブロックが制限溝内で揺動し、制限溝が第２揺動ブロックの揺動角度を制限し、それにより第２モーターの内部が回転することがなく、それによりモーターを保護する。
【００２１】
いくつかの実施形態では、固定ロッドは上ロッド、下ロッド及び調整ユニットを備え、上ロッドが調整ユニットによって下ロッドに嵌着される。
【００２２】
それにより、調整ユニットによって上ロッドと下ロッドとの相対位置を調整でき、それにより固定ロッドの長さを調整し、それにより送風機構の高さを調整する。
【００２３】
いくつかの実施形態では、台座は締め具をさらに備え、下ロッドの一端に締め付けねじが設けられ、台座に取り付け孔が設けられ、下ロッドが締め具によって台座に取り外し可能に固定される。
【００２４】
それにより、締め具の取り付け方式によって、下ロッドが台座から分離可能であり、商用運搬、収納保管が簡単になる。
【考案の効果】
【００２５】
本考案の有益な効果について、本考案は水平揺動機構と垂直揺動機構との協働によって送風機構の垂直揺動及び水平揺動を実現でき、本送風装置の送風範囲を拡大する。本考案における水平揺動機構及び垂直揺動機構の両方がクランクロッカーユニットを用いて伝動を行うことで、揺動の安定性を向上させる。市販されている従来の扇風機に比べて、本扇風機はさらに広い送風範囲を有し、首振りの幅を調整し、それにより送風範囲を変更し、実際のシーンに応じて送風装置を最大限に利用して異なる角度の風を発生させ、ユーザーの快適感を高め、ユーザー体験を向上させることができる。
【図面の簡単な説明】
【００２６】
【図１】本考案の一実施形態における多角度揺動型送風装置の斜視構造模式図である。
【図２】図１に示される多角度揺動型送風装置の一部の機構の半断面斜視構造模式図である。
【図３】図２のＡ部分の拡大構造模式図である。
【図４】図２のＢ部分の拡大構造模式図である。
【図５】図１に示される多角度揺動型送風装置の垂直揺動機構の斜視構造模式図である。
【図６】図１に示される多角度揺動型送風装置の水平揺動機構の斜視構造模式図である。
【図７】図１に示される多角度揺動型送風装置の断面斜視構造模式図及びその部分拡大図である。
【考案を実施するための形態】
【００２７】
以下、図面を参照して本考案を更に詳細に説明する。
【００２８】
図１−図３は本考案の一実施形態における多角度揺動型送風装置を模式的に示し、台座１、固定ロッド２、送風機構５、水平揺動機構３及び垂直揺動機構４を備え、固定ロッド２の下端が台座１に固定され、水平揺動機構３が固定ロッド２の上端に固定され、垂直揺動機構４が水平揺動機構３の駆動端に固定され、送風機構５が水平揺動機構３の駆動端に固定され、垂直揺動機構４は取り付けブラケット４１、第１モーター４２、第１伝動モジュール４３、ハウジング４５及び揺動フレーム４４を備え、第１モーター４２が取り付けブラケット４１に取り付けられ、揺動フレーム４４が第１伝動モジュール４３によって第１モーター４２の駆動端に取り付けられ、ハウジング４５が揺動フレーム４４外に固定し且つ揺動フレーム４４に固定して接続され、垂直揺動機構４の内部構造を保護し及びその内部構造の露出を回避するようにハウジング４５を配置し、全体の美しさを向上させる。
【００２９】
本考案は水平揺動機構３と垂直揺動機構４との協働によって送風機構５の垂直揺動及び水平揺動を実現でき、本送風装置の送風範囲を拡大する。市販されている従来の扇風機に比べて、本扇風機はさらに広い送風範囲を有し、首振りの幅を調整し、それにより送風範囲を変更し、実際のシーンに応じて送風装置を最大限に利用して異なる角度の風を発生させ、ユーザーの快適感を高め、ユーザーの涼感を向上させることができる。
【００３０】
図３及び図５に示すように、第１伝動モジュール４３はクランクロッカーユニットであり、第１偏心ブロック４３１、第１クランク４３２及び第１ロッカー４３３を備え、取り付けブラケット４１に第１取り付け板４１１が設けられ、第１取り付け板４１１に第１固定軸４３４が設けられ、第１ロッカー４３３が第１固定軸４３４によって取り付けブラケット４１に取り付けられ、第１偏心ブロック４３１の一端が第１モーター４２の駆動端に取り付けられ、第１クランク４３２の一端が第１偏心ブロック４３１の一端に可動接続され、第１クランク４３２の他端が第１ロッカー４３３の一端に可動接続される。
【００３１】
本考案では、垂直揺動機構４がクランクロッカーユニットを第１伝動モジュール４３として使用し、該ユニットが第１モーター４２によって第１伝動モジュール４３を駆動して、第１伝動モジュール４３の駆動端に取り付けられる送風機構５の揺動機能を実現でき、クランクロッカーユニットである第１伝動モジュール４３が伝動することによって、安定的な上下往復揺動を実現できる。
【００３２】
図３及び図５に示すように、第１伝動モジュール４３は取り付けブロック４３５をさらに備え、取り付けブロック４３５に揺動溝４３５１が設けられ、第１ロッカー４３３の第１クランク４３２から遠い一端に第１揺動ブロック４３３１が設けられ、取り付けブロック４３５が第１固定軸４３４に回転可能に取り付けられ、且つ第１揺動ブロック４３３１が揺動溝４３５１に嵌入され、ロッカーの第１揺動ブロック４３３１が取り付けブロック４３５を駆動して正逆揺動を行うことができる。
【００３３】
垂直揺動機構４をオフにする時、送風機構５の垂直送風角度を手動で調整できる。手動調整中、第１揺動ブロック４３３１と揺動溝４３５１が相対変位し、該揺動過程では、取り付けブロック４３５のみが揺動し、第１揺動ブロック４３３１が静止状態にあり、従って該揺動がモーターを巻き込むことがなく、モーター保護効果を達成する。
【００３４】
図３及び図５に示すように、第１伝動モジュール４３は緩衝ばね４３６をさらに備え、緩衝ばね４３６が第１固定軸４３４に嵌着され、揺動フレーム４４が取り付けブロック４３５に固定して接続され、緩衝ばね４３６の一端が取り付けブラケット４１に接続され、緩衝ばね４３６の他端が取り付けブロック４３５に接続される。
【００３５】
上下揺動する送風機構５が重力を有するため、揺動中に重力の影響を回避できるように、緩衝ばね４３６によって重力を緩衝する必要がある。
【００３６】
図３及び図５に示すように、揺動溝４３５１は扇形溝であり、且つ揺動溝４３５１の弧状内壁に第１係止溝４３５２が設けられ、第１揺動ブロック４３３１に取り付けブラインドホール４３３２が設けられ、取り付けブラインドホール４３３２に第１制限ボール４３３３が設けられ、第１制限ボール４３３３が第１係止溝４３５２と嵌合する。
【００３７】
垂直揺動機構４をオフにする時、送風機構５の垂直送風角度を手動で調整できる。第１制限ボール４３３３と第１係止溝４３５２によって制限を行うことで、送風機構５が１つの送風角度を維持できる。
【００３８】
図４及び図６に示すように、水平揺動機構３は接続スリーブ３１、第２モーター３２、第２伝動モジュール３３及び第２固定軸３４を備え、接続スリーブ３１が固定ロッド２に固定され、第２固定軸３４が接続スリーブ３１内に回転可能に嵌着され、取り付けブラケット４１に第２取り付け板４１２が設けられ、第２取り付け板４１２、第２モーター３２が取り付けブラケット４１に固定され、第２モーター３２の駆動端が第２伝動モジュール３３によって第２固定軸３４に接続される。
【００３９】
水平揺動機構３は送風機構５を駆動して水平方向の左右揺動を行うことができ、該揺動が第２モーター３２によって駆動され、且つ第２伝動モジュール３３によって伝動され、第２モーター３２が取り付けブラケット４１に固定されることで、第２モーター３２が第２固定軸３４を円心に正逆揺動を行い、それにより取り付けブラケット４１を駆動して第２固定軸３４を円心に正逆揺動を行う。
【００４０】
図４及び図６に示すように、第２伝動モジュール３３はクランクロッカーユニットであり、第２偏心ブロック３３１、第２クランク３３２及び第２ロッカー３３３を備え、ロッカーが第２固定軸３４に固定され、第２偏心ブロック３３１の一端が第２モーター３２の駆動端に固定され、第２クランク３３２の一端が第２偏心ブロック３３１の一端に可動接続され、第２クランク３３２の他端が第２ロッカー３３３の一端に可動接続される。
【００４１】
第２伝動モジュール３３は同様にクランクロッカーユニットであり、第２伝動モジュール３３の伝動方式が第１伝動モジュール４３の伝動方式と類似する。第２伝動モジュール３３の第２偏心ブロック３３１が第１偏心ブロック４３１の自由度より高い。
【００４２】
図４及び図６に示すように、接続スリーブ３１の上端面に制限溝３１１が設けられ、第２ロッカー３３３の第２クランク３３２から遠い一端に第２揺動ブロック３３３１が設けられ、第２揺動ブロック３３３１が制限溝３１１内に嵌入され、制限溝３１１が第２ロッカー３３３の第２揺動ブロック３３３１を制限できる。
【００４３】
水平揺動機構３をオフにする時、送風機構５の水平送風角度を手動で調整できる。手動調整中、第２モーター３２が取り付けブラケット４１とともに回転し、第２伝動モジュール３３も相対変位し、それにより第２揺動ブロック３３３１が制限溝３１１内で揺動し、制限溝３１１が第２揺動ブロック３３３１の揺動角度を制限し、それにより第２モーター３２の内部が回転することがなく、それによりモーターを保護する。
【００４４】
図４及び図６に示すように、制限溝３１１は扇形溝であり、且つ揺動溝４３５１の弧状内壁に第２係止溝３１２が設けられ、第２揺動ブロック３３３１に取り付けブラインドホール４３３２が設けられ、取り付けブラインドホール４３３２に第２制限ボールが設けられ、第２制限ボールが第２係止溝３１２と嵌合する。
【００４５】
図７に示すように、固定ロッド２は上ロッド２１、下ロッド２２及び調整ユニット２３を備え、上ロッド２１の外壁に係止歯２１１が設けられ、上ロッド２１が下ロッド２２内に嵌着され、上ロッド２１が調整ユニット２３によって下ロッド２２に嵌着され、調整ユニット２３が係止歯２１１と嵌合する。
【００４６】
調整ユニット２３が上ロッド２１と下ロッド２２との相対位置を調整できることによって、固定ロッド２の長さを調整し、それにより送風機構５の高さを調整する。
【００４７】
図７に示すように、台座１は締め具をさらに備え、下ロッド２２の一端に締め付けねじ２２１が設けられ、台座１に取り付け孔が設けられ、下ロッド２２が締め具によって台座１に取り外し可能に固定される。
【００４８】
締め具の取り付け方式によって、下ロッド２２が台座１から分離可能であり、商用運搬、収納保管が簡単になる。
【００４９】
多角度揺動型送風装置はコントローラ６をさらに備え、台座１に電源コンセント６１が設けられ、電源コンセント６１がコントローラ６に電気的に結合され、コントローラ６は台座１に設置され、固定ロッド２を介して第１モーター４２、第２モーター３２に電気的に結合され、第１モーター４２、第２モーター３２の駆動機能及び協働を制御できる。
【００５０】
本実施形態は以下の機能を有する。
【００５１】
１、風速調整：コントローラ６によって送風機構５の風速及び送風モードを調整でき、送風モードは正常風、自然風及び睡眠風を含み、送風モードはコントローラ６７のプログラムによって扇風機の間欠的なオン、オフを制御することによってシミュレートされる。
【００５２】
２、垂直揺動調整：コントローラ６によって垂直揺動機構４の揺動速度、及び垂直揺動機構４の揺動機能を調整でき、すなわち揺動機能をオンにするか否かを制御する。
【００５３】
３、水平揺動調整：コントローラ６によって水平揺動機構３の揺動速度、及び水平揺動機構３の揺動機能を調整でき、すなわち揺動機能をオンにするか否かを制御する。
【００５４】
４、手動揺動調整：手動の方式によって送風機構の上、下、左、右の送風角度を調整でき、それにより垂直方向において送風機構が垂直上向きに９０度送風でき、空気の対流を促進できる。
【００５５】
コントローラ６は遠隔リモコン、ボタンリモコン又はジェスチャーリモコン等の方式を採用でき、上記制御方式はすべて本装置に設定されてもよく、異なる必要に応じて、本考案は異なる制御方式を設定することができる。且つ、送風機構５は直接送風の回転羽根付き扇風機構造又はリング構造を用いた羽根無し風機構造であってもよく、異なる必要に応じて、本考案は異なる構造の送風機構５を設置することができる。
【００５６】
本実施形態は水平揺動機構３と垂直揺動機構４との協働によって送風機構５の垂直揺動及び水平揺動を実現でき、本送風装置の送風範囲を拡大する。本考案における水平揺動機構３及び垂直揺動機構４の両方がクランクロッカーユニットを用いて伝動を行うことで、揺動の安定性を向上させる。市販されている従来の扇風機に比べて、本扇風機はさらに広い送風範囲を有し、首振りの幅を調整し、それにより送風範囲を変更し、実際のシーンに応じて送風装置を最大限に利用して異なる角度の風を発生させ、ユーザーの快適感を高め、ユーザー体験を向上させることができる。
【００５７】
以上、本考案のいくつかの実施形態を説明した。当業者は本考案の概念を逸脱せずに、種々の変形や改良を行うことができ、これらの変形や改良はすべて本考案の保護範囲に属する。
【符号の説明】
【００５８】
１−台座、２−固定ロッド、２１−上ロッド、２１１−係止歯、２２−下ロッド、２２１−締め付けねじ、２３−調整ユニット、３−水平揺動機構、３１−接続スリーブ、３１１−制限溝、３１２−第２係止溝、３２−第２モーター、３３−第２伝動モジュール、３３１−第２偏心ブロック、３３２−第２クランク、３３３−第２ロッカー、３３３１−第２揺動ブロック、３４−第２固定軸、４−垂直揺動機構、４１−取り付けブラケット、４１１−第１取り付け板、４１２−第２取り付け板、４２−第１モーター、４３−第１伝動モジュール、４３１−第１偏心ブロック、４３２−第１クランク、４３３−第１ロッカー、４３３１−第１揺動ブロック、４３３２−取り付けブラインドホール、４３３３−第１制限ボール、４３４−第１固定軸、４３５−取り付けブロック、４３５１−揺動溝、４３５２−第１係止溝、４３６−緩衝ばね、４４−揺動フレーム、４５−ハウジング、５−送風機構、６−コントローラ、６１−電源コンセント
【図１】
0003229250.tif 000003
【図２】
0003229250.tif 000004
【図３】
0003229250.tif 000005
【図４】
0003229250.tif 000006
【図５】
0003229250.tif 000007
【図６】
0003229250.tif 000008
【図７】
0003229250.tif 000009
【手続補正書】
【提出日】令和2年9月7日(2020.9.7)
【手続補正１】
【補正対象書類名】実用新案登録請求の範囲
【補正対象項目名】全文
【補正方法】変更
【補正の内容】
【実用新案登録請求の範囲】
【請求項１】
多角度揺動型送風装置であって、台座（１）、固定ロッド（２）、送風機構（５）、水平揺動機構（３）及び垂直揺動機構（４）を備え、前記固定ロッド（２）の一端が台座（１）に固定され、前記水平揺動機構（３）が固定ロッド（２）の他端に固定され、前記垂直揺動機構（４）が水平揺動機構（３）の駆動端に固定され、前記送風機構（５）が水平揺動機構（３）の駆動端に固定され、前記垂直揺動機構（４）は取り付けブラケット（４１）、第１モーター（４２）、第１伝動モジュール（４３）及び揺動フレーム（４４）を備え、前記第１モーター（４２）が取り付けブラケット（４１）に取り付けられ、前記揺動フレーム（４４）が第１伝動モジュール（４３）によって第１モーター（４２）の駆動端に取り付けられることを特徴とする多角度揺動型送風装置。
【請求項２】
前記第１伝動モジュール（４３）はクランクロッカーユニットであり、第１偏心ブロック（４３１）、第１クランク（４３２）及び第１ロッカー（４３３）を備え、前記第１ロッカー（４３３）が第１固定軸（４３４）によって取り付けブラケット（４１）に取り付けられ、前記第１偏心ブロック（４３１）の一端が第１モーター（４２）の駆動端に取り付けられ、前記第１クランク（４３２）の一端が第１偏心ブロック（４３１）の一端に可動接続され、前記第１クランク（４３２）の他端が第１ロッカー（４３３）の一端に可動接続されることを特徴とする請求項１に記載の多角度揺動型送風装置。
【請求項３】
前記第１伝動モジュール（４３）は取り付けブロック（４３５）をさらに備え、前記取り付けブロック（４３５）に揺動溝（４３５１）が設けられ、前記第１ロッカー（４３３）の第１クランク（４３２）から遠い一端に第１揺動ブロック（４３３１）が設けられ、前記取り付けブロック（４３５）が第１固定軸（４３４）に回転可能に取り付けられ、且つ前記第１揺動ブロック（４３３１）が揺動溝（４３５１）に嵌入され、前記第１ロッカーの第１揺動ブロック（４３３１）が取り付けブロック（４３５）を駆動して正逆揺動を行うことができることを特徴とする請求項２に記載の多角度揺動型送風装置。
【請求項４】
前記第１伝動モジュール（４３）は緩衝ばね（４３６）をさらに備え、前記緩衝ばね（４３６）が第１固定軸（４３４）に嵌着され、前記揺動フレーム（４４）が取り付けブロック（４３５）に固定して接続され、前記緩衝ばね（４３６）の一端が取り付けブラケット（４１）に接続され、前記緩衝ばね（４３６）の他端が取り付けブロック（４３５）に接続されることを特徴とする請求項３に記載の多角度揺動型送風装置。
【請求項５】
前記揺動溝（４３５１）は扇形溝であり、且つ前記揺動溝（４３５１）の弧状内壁に第１係止溝（４３５２）が設けられ、前記第１揺動ブロック（４３３１）に取り付けブラインドホール（４３３２）が設けられ、前記取り付けブラインドホール（４３３２）に第１制限ボール（４３３３）が設けられ、前記第１制限ボール（４３３３）が第１係止溝（４３５２）と嵌合することを特徴とする請求項４に記載の多角度揺動型送風装置。
【請求項６】
前記水平揺動機構（３）は接続スリーブ（３１）、第２モーター（３２）、第２伝動モジュール（３３）及び第２固定軸（３４）を備え、前記接続スリーブ（３１）が固定ロッド（２）に固定され、前記第２固定軸（３４）が接続スリーブ（３１）内に回転可能に嵌着され、前記第２モーター（３２）が取り付けブラケット（４１）に固定され、前記第２モーター（３２）の駆動端が第２伝動モジュール（３３）によって第２固定軸（３４）に接続されることを特徴とする請求項１−５のいずれか一項に記載の多角度揺動型送風装置。
【請求項７】
前記第２伝動モジュール（３３）はクランクロッカーユニットであり、第２偏心ブロック（３３１）、第２クランク（３３２）及び第２ロッカー（３３３）を備え、前記第２ロッカーが第２固定軸（３４）に固定され、前記第２偏心ブロック（３３１）の一端が第２モーター（３２）の駆動端に固定され、前記第２クランク（３３２）の一端が第２偏心ブロック（３３１）の一端に可動接続され、前記第２クランク（３３２）の他端が第２ロッカー（３３３）の一端に可動接続されることを特徴とする請求項６に記載の多角度揺動型送風装置。
【請求項８】
前記接続スリーブ（３１）の上端面に制限溝（３１１）が設けられ、前記第２ロッカー（３３３）の第２クランク（３３２）から遠い一端に第２揺動ブロック（３３３１）が設けられ、前記第２揺動ブロック（３３３１）が制限溝（３１１）内に嵌入され、前記制限溝（３１１）が第２ロッカー（３３３）の第２揺動ブロック（３３３１）を制限できることを特徴とする請求項７に記載の多角度揺動型送風装置。
【請求項９】
前記固定ロッド（２）は上ロッド（２１）、下ロッド（２２）及び調整ユニット（２３）を備え、前記上ロッド（２１）が調整ユニット（２３）によって下ロッド（２２）に嵌着されることを特徴とする請求項８に記載の多角度揺動型送風装置。
【請求項１０】
前記台座（１）は締め具をさらに備え、前記下ロッド（２２）の一端に締め付けねじ（２２１）が設けられ、前記台座（１）に取り付け孔が設けられ、前記下ロッド（２２）が締め具によって台座（１）に取り外し可能に固定されることを特徴とする請求項９に記載の多角度揺動型送風装置。
【手続補正２】
【補正対象書類名】明細書
【補正対象項目名】０００９
【補正方法】変更
【補正の内容】
【０００９】
いくつかの実施形態では、第１伝動モジュールは取り付けブロックをさらに備え、取り付けブロックに揺動溝が設けられ、第１ロッカーの第１クランクから遠い一端に第１揺動ブロックが設けられ、取り付けブロックが第１固定軸に回転可能に取り付けられ、且つ第１揺動ブロックが揺動溝に嵌入され、第１ロッカーの第１揺動ブロックが取り付けブロックを駆動して正逆揺動を行うことができる。
【手続補正３】
【補正対象書類名】明細書
【補正対象項目名】００１７
【補正方法】変更
【補正の内容】
【００１７】
いくつかの実施形態では、第２伝動モジュールはクランクロッカーユニットであり、第２偏心ブロック、第２クランク及び第２ロッカーを備え、第２ロッカーが第２固定軸に固定され、第２偏心ブロックの一端が第２モーターの駆動端に固定され、第２クランクの一端が第２偏心ブロックの一端に可動接続され、第２クランクの他端が第２ロッカーの一端に可動接続される。
【手続補正４】
【補正対象書類名】明細書
【補正対象項目名】００３２
【補正方法】変更
【補正の内容】
【００３２】
図３及び図５に示すように、第１伝動モジュール４３は取り付けブロック４３５をさらに備え、取り付けブロック４３５に揺動溝４３５１が設けられ、第１ロッカー４３３の第１クランク４３２から遠い一端に第１揺動ブロック４３３１が設けられ、取り付けブロック４３５が第１固定軸４３４に回転可能に取り付けられ、且つ第１揺動ブロック４３３１が揺動溝４３５１に嵌入され、第１ロッカーの第１揺動ブロック４３３１が取り付けブロック４３５を駆動して正逆揺動を行うことができる。
【手続補正５】
【補正対象書類名】明細書
【補正対象項目名】００４０
【補正方法】変更
【補正の内容】
【００４０】
図４及び図６に示すように、第２伝動モジュール３３はクランクロッカーユニットであり、第２偏心ブロック３３１、第２クランク３３２及び第２ロッカー３３３を備え、第２ロッカーが第２固定軸３４に固定され、第２偏心ブロック３３１の一端が第２モーター３２の駆動端に固定され、第２クランク３３２の一端が第２偏心ブロック３３１の一端に可動接続され、第２クランク３３２の他端が第２ロッカー３３３の一端に可動接続される。